(57)【特許請求の範囲】
【請求項１】
キャップ外径部に周方向に第１の凹凸部が形成されると共に、クリップ腕状部の長手方向一端部のクリップ基部の内径部に周方向に第２の凹凸部が形成されており、第１および第２の凹凸部同士が嵌合してキャップにクリップが固定するクリップ付きキャップにおいて、
前記キャップの天面側の一側面に位置決め溝を形成し、前記クリップには前記位置決め溝と取り付けする位置決めリブを形成し、前記キャップ外径部とクリップ基部との嵌合部は、キャップ長手方向に沿うキャップの開口側又は／及び天面側の位置であってキャップ中心軸を挟んでクリップの腕状部の反対側部分又は／及び同側部分が当接するように嵌合し、クリップ腕状部の長手方向他端部内側の玉部がキャップ外周面に接し、キャップの天面部に固定用穴部が形成されると共に、クリップ基部に固定用棒状部が形成されており、固定用穴部に固定用棒状部が嵌着してキャップにクリップを固定し、固定用穴部と固定用棒状部の嵌着部は、固定用穴部の天面側又は／及び底側の位置であることを特徴とするクリップ付きキャップ。
【発明の詳細な説明】
【０００１】
【発明の属する技術分野】
本発明は、筆記具あるいは塗布具等のクリップとキャップを別部品として嵌合により固定するクリップ付きキャップに関する。
【０００２】
【従来の技術】
従来から、筆記具（以下、液体塗布体等も含む）の筆記あるいは塗布先端部をキャップ体で覆うが、服等のポケットに筆記具を収容する際に、収容時にぐら付かないように、キャップ体にクリップが設けられているのが通常である。そして、クリップのデザインの自由度を上げるために、クリップとキャップ（キャップ本体）を別部品でそれぞれ作成し、それら同士を嵌着させてクリップ付きキャップを作ることが行われている。
【０００３】
クリップの玉部（クリップのキャップ側に突出した側面視半円状の突起部）とキャップの間の隙間をできるだけ少なくして、筆記具をポケットなどに入れてクリップを指す場合はクリップとキャップで布を緊密に挟み付けて筆記具の落下を防ぐ必要がある。
【０００４】
【発明が解決しようとする課題】
しかしながら、別部品を嵌着させてクリップ付きキャップを作る場合、クリップ玉部とキャップの設計時には隙間のないように設定されていても、クリップやキャップの形状によって、特に成形部品においては隙間が発生する場合があり、隙間が空いた場合はポケット（通常胸ポケット）等にクリップを引っ掛けた場合に抜け落ち易くなる問題が生じる。一方、クリップ玉部とキャップ外径（外周面部）とによる押さえ力が極端に大きい場合には、クリップに常時、強い応力が発生して破損し易くなるので、ある程度以上は抑え力を強くする設定ができず、前記の隙間発生を効果的に防止できないという問題点があった。
【０００５】
本発明は、上記従来技術の問題点に着目してなされたもので、クリップ全体をその玉部がクリップ本体外周面に接する方向に傾くようにして、クリップとキャップ側面との間で胸ポケット等にクリップを指したときにクリップを確実に引っ掛けることができるクリップ付きキャップを提供することを目的とする。
【０００６】
【課題を解決するための手段】
本発明は、上記目的を達成するため、次の構成を有する。
【０００７】
本発明は、キャップ外径部に周方向に第１の凹凸部が形成されると共に、クリップ腕状部の長手方向一端部のクリップ基部の内径部に周方向に第２の凹凸部が形成されており、第１および第２の凹凸部同士が嵌合してキャップにクリップが固定するクリップ付きキャップにおいて、
前記キャップの天面側の一側面に位置決め溝を形成し、前記クリップには前記位置決め溝と取り付けする位置決めリブを形成し、前記キャップ外径部とクリップ基部との嵌合部は、キャップ長手方向に沿うキャップの開口側又は／及び天面側の位置であってキャップ中心軸を挟んでクリップの腕状部の反対側部分又は／及び同側部分が当接するように嵌合し、クリップ腕状部の長手方向他端部内側の玉部がキャップ外周面に接し、キャップの天面部に固定用穴部が形成されると共に、クリップ基部に固定用棒状部が形成されており、固定用穴部に固定用棒状部が嵌着してキャップにクリップを固定し、固定用穴部と固定用棒状部の嵌着部は、固定用穴部の天面側又は／及び底側の位置であることを特徴とするクリップ付きキャップである。
本発明によれば、前記キャップの天面側の一側面に位置決め溝を形成し、前記クリップには前記位置決め溝と取り付けする位置決めリブを形成し、嵌合部がキャップ長手方向に沿うキャップの開口側又は／及び天面側の位置であってキャップ中心軸を挟んでクリップの腕状部の反対側部分又は／及び同側部分が当接するように嵌合し、クリップ腕状部の長手方向他端部内側の玉部がキャップ外周面に接するようにし、したがって、クリップは全体にキャップ外周に接する方向に傾くので腕状部の他端部内側の玉部がキャップ外周に押し付けられて、離れ難くなる。
通常、胸ポケット等にクリップを指して使用する時にはクリップとキャップの隙間が開く側に癖が付きやすいが、本発明では前記嵌合部の特定の部分を当接するようにしたので、当接しない場合に比べて当接部で反発力を発生し、前記クリップ腕状部他端部内側をキャップ外周に向けて押し付けるのでクリップとキャップの間に隙間が開きにくくなり、したがって、胸ポケット等に指しているときに抜けにくくなる。
【０００９】
本発明において、嵌合部は、キャップ長手方向に沿うキャップの開口側の位置であってキャップ中心軸を挟んでクリップの腕状部の反対側部分が当接するように嵌合すると共に、キャップ長手方向に沿うキャップの天面側の位置であってキャップ中心軸を挟んでクリップの腕状部の同側部分が当接するように嵌合することによって、当接部が二箇所になり、クリップは全体にキャップ外周に接する方向により確実かつ強く傾くので腕状部の他端部内側がより強くキャップ外周に押し付けられて、離れ難くなり、強く胸ポケット等に指した時に抜けにくくなる等の作用を奏する。
【００１０】
また、本発明は、キャップの天面部に固定用穴部が形成されると共に、クリップ基部に固定用棒状部が形成されており、固定用穴部に固定用棒状部が嵌着してキャップにクリップを固定し、固定用穴部と固定用棒状部の嵌着部は、固定用穴部の天面側又は／及び底側の位置である。
これによれば、嵌着部は、固定用穴部の天面側又は／及び底側の位置であって、キャップの中心軸を挟んでクリップ腕状部の反対側部分が当接するように嵌着するので、クリップは全体にキャップ外周に接する方向に傾くので腕状部の他端部内側がキャップ外周に押し付けられて、離れ難くなる。したがって、胸ポケット等に指しているときに抜けにくくなる。
【００１３】
【発明の実施の形態】
以下、図に基づき本発明の実施の形態を詳細に説明する。
図１は本発明の実施形態に適用するクリップ付きキャップの組み立て前の説明図で（ａ）と（ｂ）はそれぞれ９０度角度を変えた縦断断面図、図２は該クリップ付きキャップの組み立て後の説明図で（ａ）と（ｂ）はそれぞれ９０度角度を変えた縦断断面図、図３は実施形態１に係るクリップ付きキャップの嵌合部の要部断面図、図４は実施形態２に係るクリップ付きキャップの嵌合部の要部断面図、図５は実施形態３に係るクリップ付きキャップの嵌着部の要部断面図、図６は実施形態４に係るクリップ付きキャップの嵌着部の要部断面図、図７は比較例に係るクリップ付きキャップの嵌合部の要部断面図である。
【００１４】
実施形態に係るクリップ付きキャップは、図１および図２に示すように、部品として別体のクリップ１６とキャップ１０をそれぞれ樹脂成形し、クリップ１６をキャップ１０に嵌着して組み立てるものである。詳細には、キャップ１０の天面１０ａ側の部分１２は他の部分よりも段状に細くなりかつ天面開放の概略筒状に形成され、その天面側部分１２の外径部１２ａに周方向に第１の凹凸部（例えば環状突起）１４が形成される。そして、前記天面側部分１２には、固定用穴部１２ｂが形成されて概略カップ状を呈しており、その内周部ｂにも環状突起１２ｃが樹脂の射出成形により一体に形成されている。
【００１５】
また、クリップ１６は、腕状部（クリップ腕状部）１６ａの長手方向一端部のクリップ基部１６ｂは概略椀状（概略カップ状）を呈してそのクリップ基部１６ｂ内径部に周方向に第２の凹凸部（例えば環状の突部）１８が形成されている。そして、クリップ基部１６ｂの概略椀状の底部から柱状の突起部（固定用棒状部に相当）１６ｃが突出形成される。
【００１６】
図２に示すように、前記キャップ天面側部分１２にクリップ基部１６ｂを嵌着してキャップ１０にクリップ１６を取り付けて固定する。この際には、クリップ基部１６ｂに第１および第２の凹凸部１４および１８同士が嵌合してキャップ１０にクリップ１６を固定して、クリップ付きキャップとなる。また、前記クリップ基部１６ｂの棒状突起部１６ｃを、キャップ天面側部分１２の固定用穴部１２ｂの内周部に嵌着して合わせて固定するようになっている。
【００１７】
前記クリップ１０の天面側部分１２は天面側からの軸方向視で概略楕円形状を呈しており、クリップ１６のキャップ１０に対する取付け角度の位置決めが容易にできるようになっており、位置ずれが生じることがない。しかも、キャップ１０外周面には、クリップ１６の腕状部１６ａに対応した溝２０が形成されており、さらに取付け角度を１８０°誤ることがない。それとともに、前記天面側部分１２の一側面に位置決め溝２０が形成され、クリップ基部１６ｂには一内側面に位置決めリブ２２が形成されていて、クリップ基部１６ｂを前記天面側部分１２に嵌着するときにこれらのリブ２２が溝２０に嵌入する軸方向角度は一箇所しかないのでこれによってもクリップ１６のキャップ１０に対する正確な位置決めができる。
【００１８】
なお、クリップ１６の腕状部１６ａのクリップ基部１６ｂ側は間に通気路１６ｅを有した二股状になり、クリップ基部１６ｂに対して腕状部１６ａはキャップ側面視で概略Ｙ字形状で二箇所で繋がっている。
【００１９】
ここで、比較例では図７に示すように、前記実施形態と同様に、クリップ基部１６ｂに第１および第２の凹凸部１４および１８同士が嵌合してキャップ１０にクリップ１６を固定して、クリップ付きキャップとなっているが、クリップ基部１６ｂと天面側部分１２との嵌合部あるいは嵌着部では、成形あるいは引けの状態によっては隙間ができる場合がある。したがって、胸ポケット等にクリップ１６を指して使用する時にはクリップ１６とキャップ１０の隙間が開く側に癖が付きやすい。
【００２０】
これに対して、実施形態１では、図３に示すように、前記キャップ天面側部分１２外径部１２ａとクリップ基部１６ｂとの嵌合部は、第１および第２の凹凸部１４および１８のうちで、キャップ１０長手方向に沿うキャップ１０の開口１０ｂ側の位置であってキャップ中心軸Ｃを挟んでクリップ腕状部１６ａの反対側部分２４が当接するように嵌合したものである。
【００２１】
実施形態１によれば、嵌合部がキャップ長手方向に沿うキャップ１０の開口側の位置であってキャップ中心軸Ｃを挟んでクリップ１６の腕状部１６ａの反対側部分２４が当接するように嵌合したので、クリップ１６は全体にキャップ１０外周に接する方向に傾くので腕状部１６ａの他端部内側（例えば玉部１６ｄが設けられる）がキャップ外周に押し付けられて、離れ難くなる。通常、胸ポケット等にクリップ１６を指して使用する時にはクリップ１６とキャップ１０の隙間が開く側に癖が付きやすいが、本発明では前記嵌合部の特定の部分を当接するようにしたので、比較例のように当接しない場合に比べて当接部で反発力を発生し、前記クリップ１６の腕状部１６ａの他端部内側（例えば玉部１６ｄ内側）をキャップ１０外周に向けて押し付けるのでクリップ１６とキャップ１０の間に隙間が開きにくくなり、胸ポケット等に指しているときに抜けにくくなる。
【００２２】
実施形態２のクリップ付キャップでは、図４に示すように、前記キャップ天面側部分１２の外径部１２ａとクリップ基部１６ｂとの嵌合部は、キャップ長手方向に沿うキャップ１０の天面側の位置であってキャップ中心軸Ｃを挟んでクリップ１６の腕状部１６ａの同側部分２６が当接するように嵌合したものである。その他は図１〜図３と同様のため同一部分に同一符号を付している。
【００２３】
実施形態２によれば、嵌合部がキャップ長手方向に沿うキャップ１０の天面側の位置であってキャップ中心軸Ｃを挟んでクリップ１６の腕状部１６ａの同側部分２６が当接するように嵌合したので、クリップ１６は全体にキャップ１０外周に接する方向に傾くので腕状部１６ａの他端部内側（例えば玉部１６ｄが設けられる）がキャップ１０外周に押し付けられて、離れ難くなる。
実施形態２では、前記嵌合部の特定の部分２６を当接するようにしたので、当接しない場合に比べて当接部で反発力を発生し、前記クリップ１６の腕状部１６ａの他端部内側をキャップ１０外周に向けて押し付けるのでクリップ１６とキャップ１０の間に、隙間が開きにくくなり、したがって、上記実施形態１と同様に胸ポケット等に指した時に抜けにくくなる等の作用を奏する。
【００２４】
なお、実施形態のクリップ付きキャップにおいて、実施形態１のように、前記キャップ天面側部分１２の外径部とクリップ基部１６ｂとの嵌合部は、キャップ長手方向に沿うキャップの開口側の位置であってキャップ中心軸Ｃを挟んでクリップ腕状部１６ａの反対側部分２４が当接するように嵌合すると共に、キャップ長手方向に沿うキャップの天面側の位置であってキャップ中心軸Ｃを挟んでクリップ腕状部１６ａの同側部分２６が当接するように嵌合したものにできる。これにより、嵌合部は、反対側部分２４が当接すると共に、クリップ腕状部１６ａの同側部分２６が同時に当接するように嵌合したので、当接部が二箇所（２４，２６）になり、前記実施形態１と実施形態２に比較して、クリップ１６は全体にキャップ１０外周に接する方向により確実かつ強く傾くので腕状部１６ａの他端部内側がより強くキャップ１０外周に押し付けられて、離れ難くなり、より強く胸ポケット等に指した時に抜けにくくなる等の作用を奏する。
【００２５】
実施形態３は、図５に示すように、キャップの天面側部１２に固定用穴部１２ｂが形成されると共に、クリップ１６に固定用棒状突起部１６ｃが形成されており、固定用穴部１２ｂに固定用棒状突起部１６ｃが嵌着してキャップ１０にクリップ１６を固定するクリップ付きキャップにおいて、固定用穴部１２ｂと固定用棒状突起部１６ｃの嵌着部は、固定用穴部１２ｂの天面側の位置であって、キャップ１０の中心軸Ｃを挟んでクリップ腕状部の反対側部分２８が当接するように嵌着するものである。その他は図１〜図３と同様のため同一部分に同一符号を付している。
【００２６】
実施形態３によれば、嵌着部は、固定用穴部１２ｂの天面側の位置であって、キャップ１０の中心軸Ｃを挟んでクリップ腕状部１６ａの反対側部分２８が当接するように嵌着するので、クリップ１６は全体にキャップ１０外周に接する方向に傾き、これにより、腕状部１６ａの他端部内側（例えば玉部１６ｄ）がキャップ１０外周に押し付けられて、離れ難くなる。
【００２７】
また、実施形態４は、キャップの天面側部１２に実施形態３と同様に固定用穴部１２ｂに固定用棒状突起部１６ｃが嵌着してキャップ１０にクリップ１６を固定するクリップ付きキャップにおいて、固定用穴部１２ｂと固定用棒状部１６ｃの嵌着部は、固定用穴部１２ｂの底側の位置であって、キャップ１０の中心軸Ｃを挟んでクリップ腕状部１６ａの同側部分３０が当接するように嵌着するものである。その他は図１〜図３と同様のため同一部分に同一符号を付している。
【００２８】
実施形態４によれば、嵌着部は、固定用穴部１２ｂの底側の位置であって、キャップ１０の中心軸Ｃを挟んでクリップ１６の腕状部１６ａの同側部分３０が当接するように嵌着するので、クリップ１６は全体にキャップ１０外周に接する方向に傾くことになり、これにより、腕状部１６ａの他端部内側がキャップ１０外周に押し付けられて、離れ難くなる。
したがって、胸ポケット等に指しているときに抜けにくくなる。
【００２９】
なお、実施形態において、キャップの天面側部１２に固定用穴部１２ｂが形成されると共に、クリップ１６に固定用棒状突起部１６ｃが形成されており、固定用穴部１２ｂに固定用棒状突起部１６ｃが嵌着してキャップ１０にクリップ１６を固定するクリップ付きキャップにおいて、実施形態３のように、固定用穴部１２ｂと固定用棒状突起部１６ｃとの嵌着部は、固定用穴部１２ｂの天面側の位置であって、キャップの中心軸Ｃを挟んでクリップ腕状部１６ａの反対側部分２８が当接するように嵌着すると共に、実施形態４のように、固定用穴部１２ｂの底側の位置であって、キャップの中心軸Ｃを挟んでクリップ腕状部１６ａの同側部分が当接するように嵌着することができる。
【００３０】
このようにすれば、嵌着部は、前記クリップ腕状部１６ａの反対側部分２８が当接するように嵌着すると共に、前記クリップ腕状部１６ａの同側部分３０が当接するように嵌着するので、当接部が二箇所（２８，３０）になるので、前記実施形態３，４に比較して、クリップ１６は全体にキャップ１０外周に接する方向により確実かつ強く傾くので腕状部１６ａの他端部内側がより強くキャップ１０外周に押し付けられて、離れ難くなる。よって、上記実施形態３，４に比較して、より強く胸ポケット等に指した時に抜けにくくなる等の作用を奏する。
【００３１】
なお、前記各実施形態の嵌合あるいは嵌着における当接位置は個別に実施しても適宜組み合わせて実施しても何れも本発明の範囲内である。
【００３２】
【発明の効果】
以上説明したとおり、本発明によれば、嵌合部がキャップ長手方向に沿うキャップの開口側の位置であってキャップ中心軸を挟んでクリップの腕状部の反対側部分が当接するように嵌合したので、クリップは全体にキャップ外周に接する方向に傾くので腕状部の他端部内側（例えば玉部が設けられる）がキャップ外周に押し付けられて、離れ難くなる。通常、胸ポケット等にクリップを指して使用する時にはクリップとキャップの隙間が開く側に癖が付きやすいが、本発明では前記嵌合部の特定の部分を当接するようにしたので、当接しない場合に比べて当接部で反発力を発生し、前記クリップ腕状部他端部内側をキャップ外周に向けて押し付けるのでクリップとキャップの間に隙間が開きにくくなり、胸ポケット等に指しているときに抜けにくくなる。
【図面の簡単な説明】
【図１】本発明の実施形態に適用するクリップ付きキャップの組み立て前の説明図で（ａ）と（ｂ）はそれぞれ９０度角度を変えた縦断断面図である。
【図２】前記クリップ付きキャップの組み立て後の説明図であり、（ａ）と（ｂ）はそれぞれ９０度角度を変えた縦断断面図である。
【図３】実施形態１に係るクリップ付きキャップの嵌合部の要部断面図である。
【図４】実施形態２に係るクリップ付きキャップの嵌合部の要部断面図である。
【図５】実施形態３に係るクリップ付きキャップの嵌着部の要部断面図である。
【図６】実施形態４に係るクリップ付きキャップの嵌着部の要部断面図である。
【図７】比較例に係るクリップ付きキャップの嵌合部の要部断面図である。
【符号の説明】
１０  キャップ
１２  キャップの天面側部分
１２ａ  天面側部分の外径部
１２ｂ  天面側部分の内周部
１２ｃ  環状突起
１４  第１の凹凸部
１６  クリップ
１６ａ  腕状部
１６ｂ  クリップ基部
１６ｃ  棒状突起部
１８  第２の凹凸部
２４  当接部
２６  当接部
２８  当接部
３０  当接部
【図１】
0004647088.tif 000002
【図２】
0004647088.tif 000003
【図３】
0004647088.tif 000004
【図４】
0004647088.tif 000005
【図５】
0004647088.tif 000006
【図６】
0004647088.tif 000007
【図７】
0004647088.tif 000008